(57)【要約】      （修正有）【課題】ガスボンベの過熱により圧力安全装置が作動した場合に使用者や管理者に明確に分かるように警報を発し、さらにその警報に対して安全措置を執らずガスボンベが一層過熱されるような場合に再度警報を発して安全措置を執るよう促すガスボンベ過熱警報装置付きカセットこんろを提供する。【解決手段】圧力感知安全装置を備えるカセットこんろにおいて、器具栓が開の状態にあるとき圧力感知安全装置に連動して作動する警報発信装置を設ける。さらに、器具栓が開の状態にあるとき圧力感知安全装置に連動して作動するとともに、器具栓が閉の状態にあるときガスボンベの異常過熱を感知して作動する警報発信装置を設ける。【選択図】図１
2004360958.tif 000002
【特許請求の範囲】
【請求項１】
圧力感知安全装置を備えるカセットこんろにおいて、器具栓が開の状態にあるとき圧力感知安全装置に連動して作動する警報発信装置が設けられていることを特徴とするガスボンベ過熱警報装置付きカセットこんろ。
【請求項２】
圧力感知安全装置を備えるカセットこんろにおいて、器具栓が開の状態にあるとき圧力感知安全装置に連動して作動するとともに、器具栓が閉の状態にあるときガスボンベの異常過熱を感知して作動する警報発信装置が設けられていることを特徴とするガスボンベ過熱警報装置付きカセットこんろ。
【発明の詳細な説明】
【０００１】
【発明の属する技術分野】
本発明はガスボンベ過熱警報装置付きカセットこんろに関する。
【０００２】
【従来の技術】
カセットこんろは簡便な調理用具であり、一般家庭はもとより業務用として種々の利用方法で使用され、なかにはガスボンベの過熱を招くような不適切な使用がされる場合もある。そのような場合にはガス圧が異常に上昇しガスボンベの破裂を招くこともあるので、カセットこんろには圧力感知安全装置を設け、ガスを遮断して消炎するようになっている。
【０００３】
しかし、圧力感知安全装置が作動しても気づかず、または承知してそのまま放置し、ガスボンベを更に過熱するような場合がある。このような状態は、例えば規定以上の大きな鍋や鉄板をかけて調理をする場合に生じやすい。このような場合にも安全を確保するため、例えば特許文献１では、異常な使用状態を継続して、ガス容器が異常に加熱され、破裂等の危険な事態に到るのを防止するための装置であって、正常な使用状態における温度では変化せず、ガス容器の破裂等の危険が生じ得る異常な温度に加熱されたときに、その異常温度によって色が変化し、異常を視覚的に警告する感温表示部を異常な使用条件下でも使用者の目に触れやすい箇所に設けたことを特徴とするガス器具の警告表示装置が提案されている。
【０００４】
【特許文献１】
特開２０００−８８２５４号公報
【０００５】
【発明が解決しようとする課題】
しかしながら、上記提案のカセットこんろでは、圧力感知安全装置の作動に関係なく、またガスボンベの有無にかかわらず警報を発するという問題があり、また、大きな鍋や鉄板をこんろにかけて使用する場合には警報の表示が見え難いという問題がある。
【０００６】
本発明は、かかる問題点を解決し、ガスボンベの過熱により圧力感知安全装置が作動した場合に使用者や管理者に明確に分かるように警報を発し、さらにその警報に対して安全措置を執らずガスボンベが一層過熱されるような場合に再度警報を発して安全措置を執るよう促すガスボンベ過熱警報装置付きカセットこんろを提案することを目的とする。
【０００７】
【課題を解決するための手段】
本発明に係るガスボンベ過熱警報装置付きカセットこんろは、圧力感知安全装置を備え、器具栓が開の状態にあるとき該圧力感知安全装置の作動に連動して作動する警報発信装置を備えている。
【０００８】
上記ガスボンベ過熱警報装置付きカセットこんろは、圧力感知安全装置を備え、器具栓が開の状態にあるとき圧力感知安全装置に連動して作動するとともに、器具栓が閉の状態にあるときガスボンベの異常過熱を感知して作動する警報発信装置を備えるのがよい。
【０００９】
【発明の実施の形態】
本発明に係るガスボンベ過熱警報装置付きカセットこんろが備えるガスボンベ過熱警報装置は、図１に示すように、電池Ｂと、ボンベが外れているときにオンの状態にあるノーマルクローズ形のボンベ装着連動スイッチＳＷ１と、器具栓が閉じられているときにオフの状態にあるノーマルオープン形の器具栓連動スイッチＳＷ２と、警報器ＢＺを有し、これらを電気的に直列に結線してなる。その作動は以下のようになる。
【００１０】
原状態、すなわちガスボンベがセットされていない状態では、図１（ａ）に示すように、ボンベ装着連動スイッチＳＷ１がオンの状態、器具栓連動スイッチＳＷ２がオフの状態にある。ガスボンベを装着すると、同図（ｂ）に示すようにボンベ装着スイッチＳＷ１がオフになる。そして、器具栓を操作して着火の方向に開くと同図（ｃ）に示すように、器具栓連動スイッチＳＷ２がオンになる。この状態が正常な状態であり、警報器ＢＺには通電されず警報は発せられない。
【００１１】
これに対し、同図（ｄ）は異常使用等によりガスボンベが過熱されて圧力感知安全装置が作動してガスボンベが外れた状態を示す。この状態ではボンベ装着連動スイッチＳＷ１がオンの状態になり、一方、器具栓は着火状態にあるので、器具栓連動スイッチＳＷ２はオンにある。したがって、警報器ＢＺに通電され警報が発せられることになる。その警報に従い、カセットこんろの使用者等が、ガスボンベをカセットこんろから取り外し、さらに器具栓を閉の状態に戻すことによって、器具栓連動スイッチＳＷ２がオフになり警報は止まる。
【００１２】
このような警報発信回路を備えるカセットこんろの具体的実施例を図２に示す。この例では、ボンベ装着連動スイッチＳＷ１としてはノーマルクローズ形のリミットスイッチ３０が、器具栓連動スイッチＳＷ２としては器具栓２０の回転によって作動するロータリー式ノーマルオープン形のリミットスイッチ３１が用いられている。警報器ＢＺとしてブザー（図示せず）が用いられている。
【００１３】
リミットスイッチ３０はノーマルクローズ形であり、ガスボンベ５０が圧力調整器１０に接続されるとボンベ装着ステム１５がガスボンベ５０に押されてリミットスイッチ３０をオフの状態とし、一方、ガスボンベ５０の取り外しあるいは、圧力感知安全装置の作動によりガスボンベ５０が圧力調整器１０から離脱するとリミットスイッチ３０はオンの状態になるようになっている。
【００１４】
リミットスイッチ３１は器具栓２０の操作つまみ部に取り付けられており、原状態、すなわち器具栓２０が閉の状態ではリミットスイッチ３１はオフの状態であるが、器具栓２０を回して着火状態におくとリミットスイッチ３１はオンの状態になるようになっている。
【００１５】
このように構成することにより、前記作動手順により、リミットスイッチ３０、リミットスイッチ３１がそれぞれボンベ装着連動スイッチＳＷ１、器具栓連動スイッチＳＷ２として機能して、圧力感知安全装置が作動したとき、警報器ＢＺが作動し、カセットこんろの使用者等にガスボンベをカセットこんろから取り出すとともに器具栓を閉の状態に戻すように促す。
【００１６】
なお、上記の実施例の圧力感知安全装置は、その作動によりガスボンベが圧力調整器から離脱する形式のものであるが、本発明は、圧力感知安全装置が作動してもガスを遮断するだけでガスボンベが圧力調整器から離脱しない形式のものについても適用できる。その場合には、例えば圧力感知安全装置の作動に連動するステムに連動するようにリミットスイッチ３０を取り付ければよい。
【００１７】
以上のようにすることにより、カセットこんろに大きな鍋や鉄板をかけた場合にも、また、焼き肉屋など騒音環境にある場合にも周囲の人や管理者にガスボンベが過熱されていることを知らしめ、ガスボンベの過熱に対し必要な措置を執るよう促すことができる。しかしながら、上記警報に応じて器具栓を閉の状態、すなわち消火状態にしても、なお、ボンベを取り出さないでそのまま放置する場合には、ガスボンベが周囲の環境から受熱して過熱し爆発事故に至る場合がある。
【００１８】
そのような事故を防止するためには、ガスボンベ過熱警報装置を図３に示す警報回路を有するものとするのがよい。この警報回路は、電池Ｂ、ボンベ装着連動スイッチＳＷ１、ノーマルオープン形のボンベ温度感知スイッチＳＷ３、接点Ｃ−ＮＣと接点Ｃ−ＮＯを切り替える器具栓切換スイッチＳＷ４及び警報器ＢＺから構成される。器具栓切換スイッチＳＷ４は、器具栓が閉の状態のときに接点Ｃ−ＮＣ間が閉じ、器具栓が開の状態のときに接点Ｃ−ＮＯ間が閉じるようになっている。また、ボンベ温度感知スイッチＳＷ３は、高い温度（異常高温）、例えば５０℃で作動するものが使用される。
【００１９】
本警報回路において、器具栓切換スイッチＳＷ４、ボンベ装着連動スイッチＳＷ１、及び電池Ｂからなる回路は、図１と同等の回路となっており、その作動は上記に説明した通りである。すなわち、ガスボンベが過熱され圧力感知安全装置が作動すると圧力調整器からガスボンベが離脱し警報が発信されるようになっている。
【００２０】
その後、器具栓を操作して閉の状態におくと、器具栓切換スイッチＳＷ４が切り替えられてＣ−ＮＣの側の回路が有効になる。この回路は、原状態でボンベ温度感知スイッチＳＷ３がオフ、かつ、ガスボンベが圧力調整器に正常に取り付けられていない状態でボンベ装着連動スイッチＳＷ１がオンになっており、ガスボンベが異常高温になるとボンベ温度感知スイッチＳＷ３がオンになり、警報器ＢＺに通電され警報が発信されるようになっている。
【００２１】
すなわち、本ガスボンベ過熱警報装置によれば、圧力安全装置の作動によりガスボンベが圧力調整器から離脱して警報が発された後、器具栓を元に戻して警報を一旦止めても、ガスボンベをカセットこんろ内に放置し、ガスボンベが異常過熱されると、ボンベ温度感知スイッチＳＷ３が作動して再度警報が発信される。この再度の警報により、ガスこんろ使用者等にガスボンベを早急に取り出すように促すことができ、ガスボンベの破裂の防止を図ることができる。
【００２２】
上記実施例において、ガスボンベの異常高温を知らせる警報器ＢＺは、器具栓が開の状態にあるときに圧力安全装置の作動に連動してボンベの過熱を知らせるものと共通のものとしているが、器具栓が閉の状態にあるときにのみ作動する警報器を別個に取り付けることもできる。その場合は、圧力感知安全装置が作動したときの警報であるか、またはボンベ温度感知スイッチＳＷ３が作動したときの再度の警報であるかを明確にすることができる。
【００２３】
なお、ボンベ温度感知スイッチＷＳ３としては、例えばサーミスターやバイメタル等の温度スイッチが使用できる。これらの温度スイッチは、所定温度で作動するように、その温度仕様や取り付け位置を決めればよい。
【００２４】
【発明の効果】
本発明に係るガスボンベ過熱警報装置付きカセットこんろは、ガスボンベの過熱により圧力感知安全装置が作動した場合に使用者や管理者に明確に分かるように警報を発することができる。また、ガスボンベの過熱により圧力感知安全装置が作動した後、その警報に対して安全措置を執らずガスボンベが一層過熱されるような場合に再度警報を発してガスボンベの破裂を未然に防止するよう促すことができる。
【図面の簡単な説明】
【図１】請求項１に記載の発明に係るガスボンベ過熱警報装置付きカセットこんろに設けるガスボンベ過熱警報装置の電気回路図である。
【図２】図１の電気回路を構成するスイッチ関係部分の具体的構成を示す斜視図である。
【図３】請求項２に記載の発明に係るガスボンベ過熱警報装置付きカセットこんろに設けるガスボンベ過熱警報装置の電気回路図である。
【符号の説明】
１０：圧力調整器
１５：ボンベ装着ステム
２０：器具栓
３０：リミットスイッチ
３１：リミットスイッチ
５０：ガスボンベ
ＳＷ１：ボンベ装着連動スイッチ
ＳＷ２：器具栓連動スイッチ
ＳＷ３：ボンベ温度感知スイッチ
ＳＷ４：器具栓切換スイッチ
【図１】
2004360958.tif 000003
【図２】
2004360958.tif 000004
【図３】
2004360958.tif 000005